(57)【要約】【課題】用紙収容部内の用紙有無を検出する検出手段をより適切に配置して設計の自由度を確保する。【解決手段】プリンター１は、下段側トレイ５０と、この下段側トレイ５０の上部に設けられた上段側トレイ５５と、を備えている。プリンター１は各トレイの側壁の外側から各トレイ内の用紙エッジを検出可能な検出手段である用紙検出センサー（６３、６４）を備えているので、各トレイの上方に各用紙検出センサーを確保する必要がない。このため、各トレイから用紙を送り出す給送手段である給送ローラー９及びこれを支持するローラー支持部材１１の配置領域と用紙検出センサー（６３、６４）の配置領域との干渉を避ける為の設計を行う必要がない。【選択図】図７
2016050066.tif 000002
【特許請求の範囲】
【請求項１】
媒体に記録を行う記録手段と、
媒体を収容する媒体収容部と、
前記媒体収容部内の媒体のエッジを検出可能な検出手段と、
前記媒体収容部の側壁に設けられた、前記検出手段の検出波を通過させる第１の検出波通過部と、
を備えた記録装置。
【請求項２】
請求項１に記載の記録装置において、前記媒体収容部内に、媒体のエッジをガイドするエッジガイドを備え、
前記エッジガイドには、前記検出手段の検出波を通過させる第２の検出波通過部が設けられ、
前記検出手段が、前記第１の検出波通過部及び前記第２の検出波通過部を介して前記媒体収容部内の媒体のエッジを検出する、
ことを特徴とする記録装置。
【請求項３】
請求項２に記載の記録装置において、前記第１の検出波通過部および前記第２の検出波通過部の少なくともいずれかが、切り欠きまたは穴で構成されている、
ことを特徴とする記録装置。
【請求項４】
請求項２に記載の記録装置において、前記第１の検出波通過部および前記第２の検出波通過部の少なくともいずれかが、透明部材で構成されている、
ことを特徴とする記録装置。
【請求項５】
請求項１から請求項４のいずれか一項に記載の記録装置において、前記媒体収容部から媒体を送り出す給送ローラーを備え、
前記給送ローラーは、媒体の送り出し方向と交差する方向である媒体幅方向において、前記媒体収容部の中央より前記媒体収容部の一方側の側壁寄りに配置されており、
前記検出手段は、前記一方側の側壁の側に設けられている、
ことを特徴とする記録装置。
【請求項６】
請求項１から請求項５のいずれか一項に記載の記録装置において、排出される媒体を受ける媒体受けトレイが前記媒体収容部に設けられ、
前記検出手段は、媒体の排出方向において前記媒体受けトレイより上流側に設けられている、
ことを特徴とする記録装置。
【請求項７】
請求項１から請求項６のいずれか一項に記載の記録装置において、前記媒体収容部を複数備え、
前記複数の媒体収容部のそれぞれに対し、前記検出手段を備える、
ことを特徴とする記録装置。
【発明の詳細な説明】
【技術分野】
【０００１】
本発明は、媒体を収容する媒体収容部を備えた記録装置に関する。
【背景技術】
【０００２】
ファクシミリやプリンター等に代表される記録装置において、装置本体に対して着脱可能な給紙カセット（給紙トレイ）は従来から広く用いられており、また用紙有無の検出や給紙カセットそれ自体の有無を検出するセンサーが設けられる場合がある。特許文献１には、そのような構成を備えた記録装置の一例が開示されている。
【先行技術文献】
【特許文献】
【０００３】
【特許文献１】特開２０１２−１７６５７５号公報
【発明の概要】
【発明が解決しようとする課題】
【０００４】
特許文献１記載の記録装置において、カセット内の用紙有無を検出する用紙検出センサーは、カセット上方に設けられている。用紙検出センサーとしては、接触式のものや非接触式（例えば、光学センサー）を採用することができるが、いずれの場合であっても、カセット上方に用紙検出センサーを配置する為のスペースが必要となる。
【０００５】
一方、カセットから用紙を送り出す給送ローラーは、通常、給送基準位置或いはそれに近い位置に設けられる。例えば、用紙の中心位置を給送基準とする構成であれば、給送ローラーは用紙幅方向に対し中央に設けられる。或いは、用紙の一方側端部を給送基準とする構成であれば、給送ローラーは前記一方側端部寄りに設けられる。これにより、用紙サイズが変わっても、給送ローラーは用紙に接することができる。
【０００６】
従ってカセット内の用紙有無を検出する用紙検出センサーについても、用紙サイズに拘わらず検出できる様に、給送ローラーと同様に給送基準位置或いはそれに近い位置に設けることが好ましい。そうすると、用紙検出センサーの配置領域と給送ローラーの配置領域とが干渉することとなり、これを避ける為に用紙検出センサーの配置に工夫が必要となって、設計の自由度が低下する。
【０００７】
そこで本発明はこの様な問題に鑑み成されたものであり、その目的は、用紙収容部内の用紙有無を検出する検出手段をより適切に配置して設計の自由度を確保することにある。
【課題を解決するための手段】
【０００８】
上記課題を解決する為の、本発明の第１の態様に係る記録装置は、媒体に記録を行う記録手段と、媒体を収容する媒体収容部と、前記媒体収容部内の媒体のエッジを検出可能な検出手段と、前記媒体収容部の側壁に設けられた、前記検出手段の検出波を通過させる第１の検出波通過部とを備えたことを特徴とする。
【０００９】
本態様によれば、記録装置は媒体収容部内の媒体のエッジを検出可能な検出手段と、前記媒体収容部の側壁に設けられた、前記検出手段の検出波を通過させる第１の検出波通過部とを備えているので、前記媒体収容部の上方に前記検出手段の配置スペースを確保する必要がない。このため、前記媒体収容部から媒体を送り出す給送手段などの他の構成の配置領域と前記検出手段の配置領域との干渉を避ける為の設計を回避することができる。  
尚、「検出波」とは光、音など、波の性質を有するものであり、空気中を伝播し、また反射面で反射する性質を有するものである。
【００１０】
本発明の第２の態様は、第１の態様において、前記媒体収容部内に、媒体のエッジをガイドするエッジガイドを備え、前記エッジガイドには、前記検出手段の検出波を通過させる第２の検出波通過部が設けられ、前記検出手段が、前記第１の検出波通過部及び前記第２の検出波通過部を介して前記媒体収容部内の媒体のエッジを検出することを特徴とする。
【００１１】
本態様によれば、前記検出手段が、前記媒体収容部の側壁に設けられた第１の検出波通過部と、前記エッジガイドに設けられた第２の検出波通過部とを介して前記媒体収容部内の媒体のエッジを検出する。即ち、前記検出手段の検出波を通過させる為に前記エッジガイドの長さを短くする必要がなく、前記エッジガイドによるガイド機能を確実に得ることができる。
【００１２】
本発明の第３の態様は、第２の態様において、前記第１の検出波通過部および前記第２の検出波通過部の少なくともいずれかが、切り欠きまたは穴で構成されていることを特徴とする。
【００１３】
本態様によれば、前記第１の検出波通過部および前記第２の検出波通過部の少なくともいずれかが、切り欠きまたは穴で構成されているので、簡易な構成でコストアップを抑えつつ前記検出波通過部を構成することができる。
【００１４】
本発明の第４の態様は、第２の態様において、前記第１の検出波通過部および前記第２の検出波通過部の少なくともいずれかが、透明部材で構成されていることを特徴とする。
【００１５】
本態様によれば、前記第１の検出波通過部および前記第２の検出波通過部の少なくともいずれかが、透明部材で構成されているので、前記側壁による媒体エッジのガイド機能或いは前記エッジガイドによる媒体エッジのガイド機能を損なうことなく、媒体エッジを検出することができる。
【００１６】
本発明の第５の態様は、第１から第４の態様のいずれかにおいて、前記媒体収容部から媒体を送り出す給送ローラーを備え、前記給送ローラーは、媒体の送り出し方向と交差する方向である媒体幅方向において、前記媒体収容部の中央より前記媒体収容部の一方側の側壁寄りに配置されており、前記検出手段は、前記一方側の側壁の外側から前記媒体収容部内の媒体のエッジを検出することを特徴とする。
【００１７】
本態様によれば、前記給送ローラーは、媒体の送り出し方向と交差する方向である媒体幅方向において、前記媒体収容部の中央より前記媒体収容部の一方側の側壁寄りに配置されている。そして前記検出手段は、前記一方側の側壁の外側から前記媒体収容部内の媒体のエッジを検出することから、前記検出手段と媒体のエッジとの距離が短くなる。これにより前記媒体のエッジをより精度良く検出することができる。
【００１８】
本発明の第６の態様は、第１から第５の態様のいずれかにおいて、排出される媒体を受ける媒体受けトレイが前記媒体収容部に設けられ、前記検出手段は、媒体の排出方向において前記媒体受けトレイより上流側に設けられていることを特徴とする。
【００１９】
本態様によれば、前記検出手段は、媒体の排出方向において前記媒体受けトレイより上流側に設けられているので、前記媒体受けトレイが前記検出手段による媒体のエッジ検出を阻害することがなく、前記検出手段による媒体のエッジ検出を良好に行うことができる。
【００２０】
本発明の第７の態様は、第１から第６の態様のいずれかにおいて、前記媒体収容部を複数備え、前記複数の媒体収容部のそれぞれに対し、前記検出手段を備えることを特徴とする。  
本態様によれば、前記媒体収容部を複数備えた構成において、上述した第１から第６の態様のいずれかと同様な作用効果を得ることができる。
【図面の簡単な説明】
【００２１】
【図１】本発明に係るプリンターの外観斜視図。
【図２】本発明に係るプリンターの用紙搬送経路を示す側断面図。
【図３】本発明に係るプリンターの用紙搬送経路を示す側断面図。
【図４】本発明に係るプリンターの用紙搬送経路を示す側断面図。
【図５】本発明に係るプリンターの制御系統の一部を示すブロック図。
【図６】トレイの要部側断面図であり、（Ａ）はトレイに用紙が収容された状態、（Ｂ）はトレイに用紙が無い状態を示す図。
【図７】上段側トレイ及び下段側トレイの一実施形態を示す斜視図。
【図８】上段側トレイ及び下段側トレイの一実施形態を示す斜視図。
【図９】上段側トレイ及び下段側トレイの一実施形態を示す斜視図。
【図１０】他の実施形態に係るトレイの要部側断面図であり、（Ａ）はトレイに用紙が収容された状態、（Ｂ）はトレイに用紙が無い状態を示す図。
【図１１】（Ａ）はセンター基準給送の場合のトレイの平面図、（Ｂ）は片寄せ基準給送の場合のトレイの平面図。
【図１２】他の実施形態に係るプリンターの用紙搬送経路を示す側断面図。
【発明を実施するための形態】
【００２２】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２３】
図１は本発明に係るプリンター１の外観斜視図、図２〜図４はプリンター１の用紙搬送経路を示す側断面図、図５はプリンター１の制御系統の一部を示すブロック図、図６はトレイの要部側断面図であり、図６（Ａ）はトレイに用紙が収容された状態、図６（Ｂ）はトレイに用紙が無い状態を示す図、図７〜図９は上段側トレイ及び下段側トレイの一実施形態を示す斜視図、図１０は他の実施形態に係るトレイの要部側断面図であり、図１０（Ａ）はトレイに用紙が収容された状態、図１０（Ｂ）はトレイに用紙が無い状態を示す図である。更に図１１は（Ａ）はセンター基準給送の場合のトレイの平面図、図１１（Ｂ）は片寄せ基準給送の場合のトレイの平面図、図１２は他の実施形態に係るプリンターの用紙搬送経路を示す側断面図である。
【００２４】
各図においてｘ−ｙ−ｚ座標系は方向を示すものであり、ｚ方向は鉛直方向（装置高さ方向）、ｙ方向は用紙搬送及び排出方向（装置前後方向）、ｘ方向は用紙幅方向（装置左右方向）を示している。  
また、異なる実施形態を示す図においては、既に説明した構成要素と同一構成には同一符号を付してあり、適宜その説明は省略するものとする。
【００２５】
■■■１．プリンターの全体構成■■■■■■■■■■■■■■■■■■■■■■■  
以下、図１〜図４を参照しつつ本発明の記録装置の一実施形態であるプリンター１の全体構成について概説する。プリンター１は、媒体の一例としての記録用紙にインクジェット記録を行う装置本体（記録部）２の上部にスキャナユニット３を備えており、即ちインクジェット記録機能に加えてスキャナ機能を備える複合機として構成されている。
【００２６】
スキャナユニット３は、装置本体２に対して回動可能に設けられており、回動することにより、閉じた状態（図１）と開いた状態（不図示）とをとり得る。  
スキャナユニット３において上部のカバー４は開閉可能なカバーであり、当該カバー４を開放することにより、スキャナユニット３の原稿台３ａ（図２〜図４）が表れる様になっている。
【００２７】
装置前面において符号５は、電源ボタンや各種印刷設定・記録実行を行う操作ボタン、印刷設定内容や印刷画像のプレビュー表示などを行う表示部、等を備えて成る操作パネルである。
【００２８】
また、装置前面において符号５２は下段側トレイ５０に設けられた開閉可能なカバーであり、図１に示す様に当該カバー５２を開くことにより、媒体収容部を構成する下段側トレイ５０及び上段側トレイ５５と、排紙受けトレイ８と、のこれらが露呈する様に構成されている。
【００２９】
排紙受けトレイ８は、図示しないモーターによって装置本体２に収納された状態（図１）と、装置本体２の前方側に突出した状態（図２〜図４）と、を取りうる様に設けられており、装置本体２の前方側に突出した状態となることで、記録が行われて排出される記録用紙を受けることができる。
【００３０】
複数枚の記録用紙を収容可能な下段側トレイ５０及び上段側トレイ５５は、媒体を収容する媒体収容部であり、即ちプリンター１の媒体収容部は複数の用紙トレイにより構成される。下段側トレイ５０と、その上部に設けられる上段側トレイ５５は、それぞれが独立して装置本体２に対して着脱可能となっている。また、一方側が未装着状態であっても、他方側が装着されていれば、当該装着されているトレイから記録用紙を送り出すことができる様になっている。但し、下段側トレイと上段側トレイは、別体ではなく一体に構成することもでき、その形態の一例については、後に説明する。
【００３１】
上段側トレイ５５は、装置本体２に装着された状態において待避位置（図３）と突き当たり位置（図２）との間を、不図示のトレイ駆動手段（モーターを含む駆動機構により構成される）によってスライド変位する様に設けられている。例えば、上段側トレイ５５から給紙する印刷ジョブが実行されると、プリンター１の制御部６６（図５）は、上段側トレイ５５を図２に示す突き当たり位置に位置決めする。また、下段側トレイ５０から給紙する印刷ジョブが実行されると、プリンター１の制御部６６は、上段側トレイ５５を図３に示す退避位置に位置決めする。
【００３２】
プリンター１は図５に示す様に下段側トレイ５０の装着を検出する下段側トレイ検出センサー６０と、上段側トレイ５５のスライド位置を検出する上段側トレイ検出センサー６１とを備えており、制御部６６は、これらセンサーから送信される信号情報をもとにして、下段側トレイ５０が装着されているか否か、また、上段側トレイ５５が突き当たり位置にあるか否かを把握できるようになっている。
【００３３】
但し、本実施形態において上段側トレイ５５はモーター駆動されるので、モーター駆動方向をもとにして、モーター電流値増加によって上段側トレイ５５の突き当たり位置がいずれの側であるか（給送可能位置側、或いは退避位置側）を把握することも可能である。また、更に、上段側トレイ５５が装着されているか否かを把握することも可能である。
【００３４】
下段側トレイ検出センサー６０と、上段側トレイ検出センサー６１は、公知のセンサーを用いることができる。具体的には、接触式のセンサーであっても良いし、非接触式のセンサー（例えば、光学センサー）であっても良い。
【００３５】
続いて図１に戻り、装置本体２の後方上部において符号６は開閉可能な手差しカバーであり、この手差しカバー６を開くことにより、手差しトレイ７（図２〜図４）を利用した記録用紙の手差しでの給紙が行える様になっている。
【００３６】
続いて、図２〜図４を参照しつつプリンター１の用紙搬送経路について説明する。本実施形態に係るプリンター１は、装置底部に上述の下段側トレイ５０及び上段側トレイ５５を備え、当該下段側トレイ５０或いは上段側トレイ５５から記録用紙を１枚ずつ給送する。上段側トレイ５５は、上述した様に突き当たり位置、即ち給送可能位置（図２）と、退避位置(図３）との間をスライド（変位）する。
【００３７】
図２〜図４においては、下段側トレイ５０に収容される用紙を符号Ｐ１で、上段側トレイ５５に収容される用紙を符号Ｐ２で、それぞれ示している（以下、特に区別する必要がない場合は「用紙Ｐ」と言う）。また、図２における破線は上段側トレイ５５から送り出される用紙Ｐ２の通過軌跡を示し、図３における破線は下段側トレイ５０から送り出される用紙Ｐ１の通過軌跡を示している。
【００３８】
不図示の駆動モーターによって回転駆動される、給送手段を構成する給送ローラー９は、回動軸１２を中心に揺動する揺動部材或いは給送部材としてのローラー支持部材１１に設けられており、上段側トレイ５５が退避位置にあるときは（図３）、下段側トレイ５０に収容された用紙Ｐ１の最上位のものと接して回転することにより、当該最上位の用紙Ｐ１を下段側トレイ５０から送り出す。
【００３９】
また上段側トレイ５５が突き当たり位置（給送可能位置：図２）にあるとき、給送ローラー９は上段側トレイ５５に収容された用紙Ｐ２の最上位のものと接して回転することにより、当該最上位の用紙Ｐ２を上段側トレイ５５から送り出す。
【００４０】
続いて装置本体２において下段側トレイ５０及び上段側トレイ５５の先端と対向する位置には分離斜面１６が設けられており、下段側トレイ５０が装着された状態では、下段側トレイ５０の先端に設けられたストッパー５１が、分離斜面１６より奥方（図３において左側）に入り込み、下段側トレイ５０に収容された用紙先端が分離斜面１６と当接可能な状態となる。
【００４１】
また上段側トレイ５５においては、当該上段側トレイ５５が給送可能位置に位置決めされた状態において、上段側トレイ５５の先端に設けられたストッパー５６が、分離斜面１６より奥方に入り込み、上段側トレイ５５に収容された用紙先端が分離斜面１６と当接可能な状態となる。
【００４２】
そして下段側トレイ５０或いは上段側トレイ５５から送り出される用紙Ｐは、その先端が分離斜面１６に接しながら下流側に進むことで、給送されるべき最上位の用紙Ｐと次位以降の用紙Ｐとの分離が行われる。
【００４３】
分離斜面１６の先には、図示しないモーターによって回転駆動される中間ローラー１７が設けられており、この中間ローラー１７によって用紙Ｐは湾曲反転させられ、装置前方側へと向かう。尚、符号１８Ａ、１８Ｂ、１８Ｃ、１８Ｄは従動回転可能な従動ローラーであり、少なくとも用紙Ｐは、従動ローラー１８Ａと中間ローラー１７とによってニップされ、また従動ローラー１８Ｂと中間ローラー１７とによってニップされて、下流側へと送られる。
【００４４】
中間ローラー１７の先には、図示しないモーターによって回転駆動される搬送駆動ローラー１９と、該搬送駆動ローラー１９に接して従動回転する搬送従動ローラー２０とが設けられており、これらローラーによって用紙Ｐが、記録手段を構成する記録ヘッド２３の下へと送られる。
【００４５】
続いてインクを吐出する記録ヘッド２３はキャリッジ２２の底部に設けられ、当該キャリッジ２２は図示しないモーターによって主走査方向（ｘ方向）に往復動する様に駆動される。  
記録ヘッド２３と対向する位置には支持部材２１が設けられ、当該支持部材２１によって、用紙Ｐと記録ヘッド２３との間の間隔が規定される。そして支持部材２１の下流側には、図示しないモーターによって回転駆動される排出駆動ローラー２４と、当該排出駆動ローラー２４に接して従動回転する排出従動ローラー２５とが設けられている。記録ヘッド２３によって記録の行われた用紙Ｐは、これらローラーにより、上述した排紙受けトレイ８へ向けて排出される。
【００４６】
上述した搬送駆動ローラー１９、キャリッジ２２、記録ヘッド２３、排出駆動ローラー２４、のこれら制御対象は、図５に示す、制御部６６によって制御される記録機構部６７を構成する。
【００４７】
尚、図２〜図４において中間ローラー１７と搬送駆動ローラー１９との間には符号２６で示す案内部材が設けられている。この案内部材２６は中間ローラー１７と、搬送駆動ローラー１９との間の用紙搬送経路を形成する。また符号２７は案内部材２６と搬送駆動ローラー１９との間の用紙搬送経路を形成する案内部材である。また符号１８Ｄは、両面印刷の為に搬送駆動ローラー１９から上流側（図４において左側）にスイッチバックされる用紙を中間ローラー１７との間でニップする従動ローラーである。
【００４８】
即ち図４の破線に示す様に、記録の行われた用紙が搬送駆動ローラー１９によりバックフィードされ、中間ローラー１７と従動ローラー１８Ｄとでニップされて、上段側トレイ５５或いは下段側トレイ５０から送り出された用紙と同様な経路を辿り、記録面を下側にして反転された状態で、再び記録位置へと搬送される。これにより、記録の行われた第１面に対し反対側の第２面への記録が実行可能となる。
【００４９】
尚、用紙を反転させる為の経路は、図４に示す形態のほか、図１２に示す様に支持部材２１の下側を通って再び各トレイからの給送経路に合流させる形態も採用可能である。図１２において符号７３は第２排出駆動ローラー、符号７４は第２排出従動ローラーであり、また符号７２は経路切り換え部材である。第１面（おもて面）に記録が行われる際、経路切り換え部材７２は支持部材２１の下側を通る経路を閉じる姿勢をとっている。
【００５０】
そして用紙後端が経路切り換え部材７２の位置を通過した後、第２排出駆動ローラー７３は逆転駆動され、用紙をバックフィードさせる。その際、経路切り換え部材７２は、支持部材２１の下側を通る経路を開放する姿勢をとる（図１２の状態）。これにより、用紙後端は下側経路へと入り込む。そして図１２において破線で示すように、第１面（おもて面）に記録の行われた用紙が反転させられ、第２面（うら面）を上にした状態で再び記録位置へと送られる。
【００５１】
この様に用紙の両面に記録を行う為に用紙を反転させる経路は種々の形態を採用することができ、またその際、媒体収容部である下段側トレイ及び上段側トレイは、それぞれ上述した符号５０、５５で示されるトレイのほか、後に説明する、図８において符号１００で示されるトレイや、図９において符号１１０で示されるトレイなどを採用することができる。
【００５２】
■■■２．各トレイ内の用紙検出■■■■■■■■■■■■■■■  
続いて、各トレイ内の用紙を検出する為の手段について図５〜図７を参照しつつ説明する。  
装置本体２において各トレイが収容（装着）される収容部２ａ（図２、図６）の内壁２ｂ（図２、図６）には、用紙検出センサー６３、６４が設けられている。用紙検出センサー６３は下段側トレイ５０内の用紙を検出する検出手段であり、用紙検出センサー６４は上段側トレイ５５内の用紙を検出する検出手段である。用紙検出センサー６３、６４は、各トレイの側面と対向する位置に設けられており、また、用紙検出センサー６４は、用紙検出センサー６３の上側に設けられている。
【００５３】
用紙検出センサー６３、６４は、本実施形態では発光部と受光部とを備えて成る光学センサーであり、各トレイの側壁の外側から各トレイ内の用紙エッジを検出する。この為、各トレイには、各センサーの検出光を通過させる為の構成が設けられている。尚、ここでの検出光とは、各センサーから用紙エッジに向けて発せられた検出光と、用紙エッジから反射して各センサーに戻る検出光（反射光）の双方を含む意味である。そして検出光は、検出波の一例である。図５〜図１０において符号Ｔは、各センサーから用紙エッジに向けて発せられる検出光を模式的に示したものである。
【００５４】
下段側トレイ５０においては、用紙収容領域を構成する側壁５０ｂ、５０ｃのうち、一方側の側壁５０ｂに、第１の検出波通過部としての切り欠き５０ｄが形成されている。この切り欠き５０ｄにより、用紙検出センサー６３から発せられた検出光がトレイ内に入り込む（通過する）ことができる。
【００５５】
また、下段側トレイ５０には、用紙収容領域の底面５０ａに沿ってスライド変位可能なエッジガイド５３Ａ、５３Ｂが設けられており、これらエッジガイド５３Ａ、５３Ｂにより、用紙のサイドエッジが規制される。尚、符号５４は、用紙後端エッジを規制するエッジガイドである。  
このうちエッジガイド５３Ａは、用紙検出センサー６３の配置位置（ｙ方向位置及びｚ方向位置）と重なっているが、このエッジガイド５３Ａには、第２の検出波通過部としての切り欠き５３ｃが形成されている。この切り欠き５３ｃにより、用紙検出センサー６３の検出光が、エッジガイド５３Ａを通過して、エッジガイド５３Ａによりガイドされている用紙エッジに到達することができる様になっている。
【００５６】
尚、側壁５０ｂに形成された切り欠き５０ｄと、エッジガイド５３Ａに形成された切り欠き５３ｃは、その切り欠き領域の幅とｙ方向位置が、本実施形態ではほぼ同じになるように形成されているが、必ずしも同じである必要はなく、少なくとも用紙検出センサー６３の検出光が通過できるように形成されていれば良い。
【００５７】
上段側トレイ５５についても、上述した下段側トレイ５０と同様である。即ち上段側トレイ５５においては、用紙収容領域を構成する側壁５５ｂ、５５ｃのうち、一方側の側壁５５ｂに、第１の検出波通過部としての切り欠き５５ｄが形成されている。この切り欠き５５ｄにより、用紙検出センサー６４から発せられた検出光がトレイ内に入り込む（通過する）ことができる。
【００５８】
また、上段側トレイ５５には、用紙収容領域の底面５５ａに沿ってスライド変位可能なエッジガイド５７Ａ、５７Ｂが設けられており、これらエッジガイド５７Ａ、５７Ｂにより、用紙のサイドエッジが規制される。このうちエッジガイド５７Ａは、上段側トレイ５５が給送可能位置（突き当たり位置：図２）にあるときに、用紙検出センサー６４の配置位置（ｙ方向位置及びｚ方向位置）と重なるが、このエッジガイド５７Ａには、第２の検出波通過部としての切り欠き５７ｃが形成されている。この切り欠き５７ｃにより、用紙検出センサー６４の検出光が、エッジガイド５７Ａを通過して、エッジガイド５７Ａによりガイドされている用紙エッジに到達することができる様になっている。
【００５９】
尚、側壁５５ｂに形成された切り欠き５５ｄと、エッジガイド５７Ａに形成された切り欠き５７ｃは、その切り欠き領域の幅とｙ方向位置が、本実施形態ではほぼ同じになるように形成されているが、必ずしも同じである必要はなく、少なくとも用紙検出センサー６４の検出光が通過できるように形成されていれば良い。
【００６０】
以上の通り、用紙検出センサー６３、６４により、制御部６６は、各トレイの用紙を検出し、必要な処理を行うことができる。例えば、制御部６６は印刷指令を受けた後、用紙有りを検出すれば、記録機構部６７を制御して記録を行うことができる。或いは、用紙エッジを検出できない場合には、例えば用紙の状態を確認する旨のアラートをユーザーに対し発することができる。尚、制御部６６は下段側トレイ５０が装着されているか否か、また、上段側トレイ５５が使用位置にあるか退避位置にあるかは、上述した通り、下段側トレイ検出センサー６０及び上段側トレイ検出センサー６１によって把握することができる。
【００６１】
但し、一例として下段側トレイ５０における図６（Ａ）の用紙有り状態と、図６（Ｂ）の用紙無し状態との対比から明らかな様に、各用紙検出センサーは用紙エッジ（符号Ｅｄは用紙エッジ）を検出するため、例えば用紙枚数は少ないものの少なくとも１枚は存在する場合、各用紙検出センサーは、その用紙エッジを検出できないことがある。従って上記のアラート表示は、「用紙が少ないか或いは用紙が無い為、用紙状態を確認して下さい」といったアラート表示とすることが好適である。  
以上により、各用紙検出センサーは、用紙枚数が少なくなってもその用紙エッジを検出できるよう、極力下側に配置することが好ましい。
【００６２】
以上説明したように、本実施形態によれば、プリンター１は各トレイ（５０、５５）の側方から各トレイ内の用紙エッジを検出可能な検出手段である用紙検出センサー（６３、６４）を備えているので、各トレイの上方に各用紙検出センサーを確保する必要がない。このため、各トレイから用紙を送り出す給送手段である給送ローラー９及びこれを支持するローラー支持部材１１の配置領域と用紙検出センサー（６３、６４）の配置領域との干渉を避ける為の設計を行う必要がなく、設計の自由度を確保することができるとともに、装置の高さ方向寸法の節約にも寄与し得る。  
特に、各トレイを収容する収容部２ａの内壁２ｂと各トレイとの間には通常、何らかの構成要素を設ける必要はない。従って用紙検出センサー（６３、６４）の配置に際し、設計の自由度が確保される。また、収容部２ａの内壁２ｂとエッジガイド（５３Ａ、５７Ａ）との間には通常、各トレイの側壁のみが存在し、何らかの構成要素を設ける必要がない。従って用紙検出センサー（６３、６４）の配置に際し、設計の自由度が確保される。
【００６３】
また本実施形態では、用紙検出センサー（６３、６４）は光学センサー、即ち非接触式の検出手段であるので、各トレイの着脱に伴う検出手段の破損を防止できる。
【００６４】
また、本実施形態では、用紙検出センサー（６３、６４）の検出光を通過させる第１の検出波通過部である切り欠き部（５０ｄ、５５ｄ）が設けられ、用紙検出センサー（６３、６４）は、各トレイの側壁（５０ｂ、５５ｂ）の上記第１の検出波通過部（５０ｄ、５５ｄ）を介してトレイ内のエッジを検出する。従って、用紙検出センサー（６３、６４）をより低い位置に配置することができる。その結果、装置の高さ方向寸法をより一層抑えることができる。
【００６５】
また、本実施形態では、各トレイ内に、用紙エッジをガイドするエッジガイド（５３Ａ、５３Ｂ、５７Ａ、５７Ｂ）を備え、エッジガイド（５３Ａ、５７Ａ）には、用紙検出センサー（６３、６４）の検出光を通過させる第２の検出波通過部である切り欠き部（５３ｃ、５７ｃ）が設けられている。そして用紙検出センサー（６３、６４）が、各エッジガイドの前記第２の検出波通過部を介してトレイの用紙エッジを検出する構成である。  
従って、各用紙検出センサーの検出光を通過させる為に各エッジガイドの長さを短くする必要がなく、各エッジガイドによるガイド機能を確実に得ることができる。
【００６６】
また、本実施形態では、上述したように各検出波通過部が、切り欠き（５０ｄ、５３ｃ、５５ｄ、５７ｃ）で形成されているので、簡易な構成でコストアップを抑えつつ前記検出波通過部を構成することができる。尚、各検出波通過部は切り欠きに限らず、穴で形成しても良い。即ち、各用紙検出センサーの検出光（検出波）を通過させ得る形状であれば、どの様な形状であっても良い。
【００６７】
また、上記各検出波通過部を、切り欠きや穴などに換えて、透明部材で構成しても良い。図１０において符号７０は、各用紙検出センサーの検出光（検出波）を通過させる（透過率の高い）透明部材である。この様に上記各検出波通過部を透明部材で構成することで、各エッジガイドによる用紙エッジのガイド機能を損なうことなく、用紙エッジを検出することができる。  
尚、図１０の例ではエッジガイド５３Ａの検出波通過部（第２の検出波通過部）を透明部材で構成したが、トレイ側壁５０ｂの検出波通過部（第１の検出波通過部）を、切り欠き５０ｄに代えて透明部材で構成しても良い。
【００６８】
以上、上段側トレイ５０及び下段側トレイ５５に対して本発明を適用した例について説明したが、複数のトレイに限らず、一つのトレイに対して本発明を適用しても良い。この場合の一つのトレイとは、記録装置が複数のトレイを有する場合の一つのトレイという意味と、記録装置が一つのみトレイを有する場合の当該トレイという意味の、双方を含むものである。また複数のトレイを備える場合、全てのトレイに対し用紙エッジを検出する検出手段を設けても良いし、そのうちの任意の複数のトレイに対して上記検出手段を設けても良いし、或いは上記の通り一つのトレイのみに対して上記検出手段を設けても良い。
【００６９】
また、トレイを複数備える場合には、上述したとおり各トレイが別体に構成されている場合のほか、一体に構成されている場合もある。図８はその様なトレイを示すものであり、符号１００はトレイ複合体を示し、符号１０１は下段側トレイを、符号１０２は上段側トレイを、それぞれ示している。上段側トレイ１０２は、下段側トレイ１０１に対してスライド変位可能に設けられており、スライドすることにより、上述した上段側トレイ５５のように使用位置と退避位置とを変位する。  
この様に上段側トレイと下段側トレイとが一体に構成された場合でも、トレイ側壁の外側から各トレイ内の用紙エッジを検出することができる。
【００７０】
また、記録が行われて排出された用紙を受ける排紙受けトレイを一体に備える場合もある。図９はその様なトレイを示すものであり、符号１１０はトレイ複合体を示し、符号１１１は下段側トレイを、符号１１２は上段側トレイを、それぞれ示している。上段側トレイ１１２は、下段側トレイ１１１に対してスライド変位可能に設けられており、スライドすることにより、上述した上段側トレイ５５のように使用位置と退避位置とを変位する。そして符号１１３は、下段側トレイ１１１に対して回動可能に連結された排紙受けトレイを示している。
【００７１】
排紙受けトレイ１１３は、ｘ方向両側の回動軸１１４（図９では一方側の回動軸１１４のみ図示）を中心に回動可能に設けられており、図９に示すように閉じた状態、即ち排紙される用紙を受ける状態と、開いた状態（不図示）、即ち下段側トレイ１１１の用紙収容領域を大きく開放する状態とを取り得る。  
この様に上段側トレイと下段側トレイとが一体に構成され、更に排紙受けトレイが連結された場合でも、トレイ側壁の外側から各トレイ内の用紙エッジを検出することができる。  
尚、排紙受けトレイ１１３は、図９の例では下段側トレイ１１４に対して設けられているが、上段側トレイ１１２に対して設けられていても良い。
【００７２】
また、図９に示す実施形態では、用紙検出センサー６３、６４は、用紙排出方向（ｙ方向）において排紙受けトレイ１１３より上流側（−ｙ方向側）に設けられている。より具体的には、回動軸１１４よりも上流側（−ｙ方向側）に設けられている。  
この様に用紙検出センサー６３、６４を、排紙受けトレイ１１３を避けた位置に設けることで、排紙受けトレイ１１３が用紙検出センサー６３、６４による用紙エッジ検出を阻害することがなく、用紙検出センサー６３、６４による用紙エッジ検出を良好に行うことができる。
【００７３】
また、以上説明した実施形態は、給送ローラー９が、用紙送り出し方向と交差する方向である用紙幅方向（ｘ方向）において、各トレイの中央部に設けられている。即ちセンター基準での給紙であり、このため各エッジガイドはトレイ中央部を基準にして互いに近接及び離間する方向に連動して変位する様に設けられている。例えば、上段側トレイ５０においてエッジガイド５３Ａ、５３Ｂは、ｘ方向においてトレイ中央部を基準にして互いに近接及び離間する方向に連動して変位する様に設けられている。
【００７４】
図１１（Ａ）はこれを示したものであり、下段側トレイ５０と給送ローラー９との位置関係を示している。線Ｆｓは給送基準位置であり、トレイ中央部に設定されている。符号７１は、底面５０ａにおいて給送基準位置Ｆｓに設けられた摩擦部材である。エッジガイド５３Ａ、５３Ｂは、給送基準位置Ｆｓを挟んで互いに近接及び離間する様に連動して変位する。
【００７５】
従ってこの場合用紙検出センサー６３、６４は、各トレイに対してｘ−方向側に設けても、或いはその反対側（ｘ＋方向側）に設けても、いずれの場合であっても、各センサーから用紙エッジまでの距離は変わらない。
【００７６】
しかしながら、一例として図１１（Ｂ）に示すトレイ１２０の場合の様に給送ローラー９が、用紙送り出し方向と交差する方向である用紙幅方向（ｘ方向）において、一方側の側壁寄りに設けられている場合、即ち片寄せ基準での給紙の場合には、基準位置側と反対側に用紙有無センサーを設けると、検出距離が長くなってしまう。図１１（Ｂ）の場合では、用紙検出センサー６３を図の左側に配置すると、検出距離（用紙エッジまでの距離）が長くなってしまう。
【００７７】
従って図１１（Ｂ）に示すように給送ローラー９が用紙幅方向においてトレイ中央から外れた位置にある場合は、用紙検出センサーは、給送ローラー９に近い側のトレイ側壁の外側からトレイ内の用紙エッジを検出することが好ましい。これにより、センサーと用紙エッジとの距離を短くでき、用紙エッジをより精度良く検出することができる。
【符号の説明】
【００７８】
１  インクジェットプリンター、２  記録部（装置本体）、３  スキャナユニット、４  原稿カバー、５  操作パネル、６  手差しカバー、７  手差しトレイ、８  排紙受けトレイ、９  給送ローラー、１１  ローラー支持部材、１２  回動軸、１６  分離斜面、１７  中間ローラー、１８Ａ〜１８Ｄ  従動ローラー、１９  搬送駆動ローラー、２０  搬送従動ローラー、２１  支持部材、２２  キャリッジ、２３  記録ヘッド、２４  排出駆動ローラー、２５  排出従動ローラー、２６  案内部材、２７  案内部材、２８  仕切板、
５０  下段側トレイ、５０ａ  底面、５０ｂ、５０ｃ  側壁、５０ｄ  切り欠き部、５１  ストッパー、５２  カバー、５３Ａ、５３Ｂ  エッジガイド、５３ｃ  切り欠き部、５４  エッジガイド、
５５  上段側トレイ、５５ａ  底面、５５ｂ、５５ｃ  側壁、５５ｄ  切り欠き部、５６  ストッパー、５７Ａ、５７Ｂ  エッジガイド、５７ｃ  切り欠き部、６０  下段側トレイ検出センサー、
６１  上段側トレイ検出センサー、６３  用紙センサー（下段側）、６４  用紙センサー（上段側）、６６  制御部６６  記録機構部、７０  透明部材、７１  摩擦部材、７２  経路切換部材、７３  第２排出駆動ローラー、７４  第２排出従動ローラー、Ｐ、Ｐ１、Ｐ２  記録用紙
【図１】
2016050066.tif 000003
【図２】
2016050066.tif 000004
【図３】
2016050066.tif 000005
【図４】
2016050066.tif 000006
【図５】
2016050066.tif 000007
【図６】
2016050066.tif 000008
【図７】
2016050066.tif 000009
【図８】
2016050066.tif 000010
【図９】
2016050066.tif 000011
【図１０】
2016050066.tif 000012
【図１１】
2016050066.tif 000013
【図１２】
2016050066.tif 000014